(57)【特許請求の範囲】
【請求項１】
原稿情報の両面読み取り、両面伝送が可能なファクシミリ装置において、
送信機から受信機に、両面原稿の指定と片面原稿の指定とを行う指定手段と；
両面原稿を指定した送信の途中で片面原稿の送信に移行する場合と、片面原稿を指定した送信の途中で両面原稿の送信に移行する場合とに、フェーズＢに戻ってＤＣＳ信号で両面原稿、または、片面原稿を指定し直し、続きの原稿を送信する送信手段と；
を有することを特徴とするファクシミリ装置。
【請求項２】
原稿情報の両面の情報として、両面伝送が可能なファクシミリ通信方法において、
送信側から受信側に、両面原稿の指定と片面原稿の指定とを行う指定段階と；
両面原稿を指定した送信の途中で片面原稿の送信に移行する場合と、片面原稿を指定した送信の途中で両面原稿の送信に移行する場合とに、フェーズＢに戻ってＤＣＳ信号で両面原稿、または、片面原稿の指定をし直し、続きの原稿を送信する送信段階と；
を有することを特徴とするファクシミリ通信方法。
【請求項３】
原稿情報の両面読み取り、両面伝送、両面記録が可能なファクシミリ装置において、
受信機から送信機に、両面受信機能の有無を通知し、送信機から受信機に、ＤＣＳ信号で両面原稿を指定する手段と；
ＤＣＳ信号で両面原稿を指定した場合に、順に表面、裏面と送信し、ページの途中で片面原稿に移行する場合に、フェーズＢに戻ってＤＣＳ信号で片面原稿を指定する手段と；
一方、ＤＣＳ信号で片面原稿を指定して送信し、ページの途中で両面原稿に移行する場合は、フェーズＢに戻ってＤＣＳ信号で両面原稿を指定し、その後、表面、裏面と順に送信する送信手段と；
通信中にエラーが発生した場合、両面原稿の伝送時に常に表面から再送信する処理手段と；
を有することを特徴とするファクシミリ装置。
【請求項４】
請求項３において、
上記処理手段は、ｎページ目の原稿の表面を送信中に生じるエラー、またはｎページ目の原稿の裏面を送信中に生じるエラーにおいて、ともにｎページ目の原稿の表面から実行する手段であることを特徴とするファクシミリ装置。
【請求項５】
請求項３または請求項４において、
上記エラー再送信の設定として、１ページ目の原稿と、エラーしたページ以降とを再送信する第１のモードと、エラーしたページ以降を再送信する第２のモードとのうちで、一方のモードを選択する選択手段を有し、
上記第２のモードが選択されていると、上記表面、裏面の順に送信し、上記第１のモードが選択されていると、まず、ＤＣＳ信号で片面原稿を指定し、１ページ目の原稿の表面の送信を実行し、続いてフェーズＢに戻り、ＤＣＳ信号で両面原稿を指定した後、上記表面、裏面の順に送信することを特徴とするファクシミリ装置。
【請求項６】
原稿情報の両面の情報を送信機から両面伝送し、受信機では両面記録を行うファクシミリ通信方法において、
受信機から送信機に、両面受信機能の有無を通知し、送信機から受信機に、ＤＣＳ信号で両面原稿を指定する段階と；
ＤＣＳ信号で両面原稿を指定した場合には、順に表面、裏面と送信し、ページの途中で片面原稿に移行する場合は、フェーズＢに戻ってＤＣＳ信号で片面原稿を指定する段階と；
一方、ＤＣＳ信号で片面原稿を指定して送信し、ページの途中で両面原稿に移行する場合は、フェーズＢに戻ってＤＣＳ信号で両面原稿を指定し、その後、表面、裏面と順に送信する段階と；
通信中にエラーが発生した場合、両面原稿の伝送時に常に表面から再送信する段階と；
を有することを特徴とするファクシミリ通信方法。
【請求項７】
請求項６において、
ｎページ目の原稿の表面を送信中に生じたエラー、またはｎページ目の原稿の裏面の送信中に生じたエラーにおいて、ともにｎページ目の原稿の表面から実行することを特徴とするファクシミリ通信方法。
【請求項８】
請求項６または請求項７において、
１ページ目の原稿と、エラーしたページ以降とを再送信する第１のモードと、エラーしたページ以降を再送信する第２のモードとを選択し、上記第２のモードが選択されている場合には、上記表面、裏面の順に送信し、上記第１のモードが選択されていると、まず、ＤＣＳ信号で片面原稿を指定し、１ページ目の原稿の表面を送信し、続いてフェーズＢに戻り、ＤＣＳ信号で両面原稿を指定した後、上記表面、裏面の順に送信することを特徴とするファクシミリ通信方法。
【発明の詳細な説明】
【０００１】
【発明の属する技術分野】
本発明は、両面伝送可能なファクシミリ装置に関する。
【０００２】
【従来の技術】
従来の片面原稿を伝送可能なファクシミリ装置では、通信途中にエラーが発生したときに再送信する場合、エラーしたページから再送信を実行する。
【０００３】
また、両面原稿と片面原稿とが混在する場合、全部両面原稿として宣言し、片面原稿に関しては、裏面として全白データを送信することも考えられるが、例え全白データとはいえ、手順が必要なので、混在原稿の中で片面原稿の数が多いと通信時間が長くなる。
【０００４】
そこで、混在原稿の片面原稿に関して、その裏面として全白データを送らなくて済むなら、その方が効率的であると考えられる。
【０００５】
【発明が解決しようとする課題】
上記従来例においては、エラー再送信を両面原稿伝送時に実行した場合、たとえば、両面原稿の裏面を伝送中に通信エラーが発生し、エラー再送信を実行すると、エラー再送信した原稿の裏面情報は、記録紙の表面に記録され、受信機側でエラーした受信原稿と、エラー再送信された受信原稿とをつなげようとしても、途中で裏面が白紙または途中までの印字となり、受信原稿が見にくくなるという問題がある。
【０００６】
本発明は、両面原稿伝送時のエラー再送時においても、受信側で良好な状態で受信情報を受け取れる再送動作を行うことができるファクシミリ装置およびファクシミリ通信方法を提供することを目的とする。
【０００７】
また、本発明は、混在原稿を送信するときに、両面原稿と片面原稿とをそれぞれそのままの原稿として送信することができるファクシミリ装置およびファクシミリ通信方法を提供することを目的とする。
【００１０】
【課題を解決するための手段】
請求項１、２記載の発明は、原稿情報の両面読み取り、両面伝送が可能なファクシミリ装置において、送信機から受信機に、両面原稿の指定と片面原稿の指定とを行ない、両面原稿を指定した送信の途中で片面原稿の送信に移行する場合と、片面原稿を指定した送信の途中で両面原稿の送信に移行する場合とに、フェーズＢに戻ってＤＣＳ信号で両面原稿、または、片面原稿を指定し直し、続きの原稿を送信するものである。
【００１１】
また、請求項３〜８記載の発明は、原稿情報の両面読み取り、両面伝送、両面記録が可能なファクシミリ装置において、受信機から送信機に、両面受信機能の有無を通知し、送信機から受信機に、ＤＣＳ信号で両面原稿を指定し、ＤＣＳ信号で両面原稿を指定した場合に、順に表面、裏面と送信し、ページの途中で片面原稿に移行する場合に、フェーズＢに戻ってＤＣＳ信号で片面原稿を指定し、一方、ＤＣＳ信号で片面原稿を指定して送信し、ページの途中で両面原稿に移行する場合は、フェーズＢに戻ってＤＣＳ信号で両面原稿を指定し、その後、表面、裏面と順に送信し、通信中にエラーが発生した場合、両面原稿の伝送時に常に表面から再送信するものである。
【００１２】
【発明の実施の形態および実施例】
（第１の実施例）
図１は、本発明の第１の実施例であるファクシミリ装置ＦＳ１を示すブロック図である。
【００１３】
ファクシミリ装置ＦＳ１は、原稿情報の両面読み取り、両面伝送、両面記録が可能な構成を有する。
【００１４】
ファクシミリ装置ＦＳ１において、ＮＣＵ（網制御装置）２は、電話網をデータ通信等に使用するために、その回線の端末に接続し、電話交換網の接続制御を行なったり、データ通信路への切換えを行なったり、ループの保持を行なうものである。また、ＮＣＵ２は、制御回路２０からの信号レベル（信号線２０ａ）が「０」であれば、電話回線２ａを電話機４側に接続し、信号レベルが「１」であれば、電話回線２ａをファクシミリ装置側に接続するものである。なお、通常状態では、電話回線２ａは、電話機４側に接続されている。
【００１５】
ハイブリッド回路６は、送信系の信号と受信系の信号とを分離し、加算回路１２からの送信信号を、ＮＣＵ２経由で、電話回線２ａに送出し、相手側からの信号を、ＮＣＵ２経由で受取り、信号線６ａ経由で、変復調器８に送るものである。
【００１６】
変復調器８は、ＩＴＵ−Ｔ勧告Ｖ．８、Ｖ．２１、Ｖ．２７ｔｅｒ、Ｖ．２９、Ｖ．１７、Ｖ．３４に基づいた変調と復調とを行なうものであり、信号線２０ｃによって、各伝送モードが指定される。この変復調器８は、信号線２０ｂに出力されている信号を入力し、変調データを信号線８ａに出力し、信号線６ａに出力されている受信信号を入力し、復調データを信号線８ｂに出力する。
【００１７】
ＡＮＳａｍ送出回路１０は、ＡＮＳａｍ信号を送出する回路であり、信号線２０ｄに信号レベル「１」の信号が出力されている時には、信号線１０ａにＡＮＳａｍ信号を送出し、信号線２０ｄに信号レベル「０」の信号が出力されている時には、信号線１０ａに何も信号を出力しない。
【００１８】
加算回路１２は、信号線８ａの情報と信号線１０ａの情報と信号線２６ａの情報とを入力し、加算した結果を信号線１２ａに出力するものである。
【００１９】
読取回路１４は、信号線２０ｆに信号レベル「０」の信号が出力されている時には、表面の情報を読み取り、信号線２０ｆに信号レベル「１」の信号が出力されている時には、裏面の情報を読み取り、読み取りデータを信号線１４ａに出力するものである。
【００２０】
記録回路１６は、信号線２０ｇに信号レベル「０」の信号が出力されている時には、記録紙の表面に信号線２０ｅに出力されている情報を順次１ライン毎に記録し、信号線２０ｇに信号レベル「１」の信号が出力されている時には、記録紙の裏面に信号線２０ｅに出力されている情報を順次１ライン毎に記録する。
【００２１】
メモリ回路１８は、読み取りデータの生情報または符号化した情報を格納したり、受信情報または復号化した情報等を格納するために使用する。
【００２２】
両面読取選択ボタン２２は、読取回路１４における両面読み取りを選択するためのボタンであり、該ボタン２２が押下されると、信号線２２ａに押下パルスが発生する。
【００２３】
両面読取表示回路２４は、両面読み取りを行うことを表示する回路であり、信号線２０ｈにクリアパルスが発生すると表示せず、以後、信号線２２ａに押下パルスが発生する毎に「表示する」→「表示しない」→「表示する」を繰り返す。そして、「表示している」時には信号線２４ａに信号レベル「１」の信号を出力し、「表示していない」時には信号線２４ａに信号レベル「０」の信号を出力する。
【００２４】
発呼回路２６は、信号線２０ｉに発呼命令パルスが発生した時に、信号線２０ｊに出力されている情報を入力し、信号線２６ａにＤＴＭＦの選択信号を出力する。
【００２５】
エラー再送信設定回路２８は、エラー再送信のモードを設定する回路であり、エラーしたページから再送信を行う第２のモードが選択されていると、信号線２８ａの信号レベル「０」の信号を出力し、１ページ目の原稿と、エラーしたページからの再送信を行う第１のモードが選択されていると、信号線２８ａに信号レベル「１」の信号を出力する。
【００２６】
制御回路２０は、ファクシミリ装置ＦＳ１の全体を制御するものであり、また、次のような制御を行う回路である。
【００２７】
まず、ファクシミリの通信時に、受信機から送信機に、両面受信機能の有無をＤＩＳで通知し、送信機から受信機に、ＤＣＳ信号で両面原稿の指定を行う。両面原稿の指定時には、順に表面、裏面と送信し、ページの途中で片面原稿に移行する場合は、フェーズＢに戻ってＤＣＳ信号で片面原稿の指定を行う。
【００２８】
一方、ＤＣＳ信号で片面原稿を指定して送信し、ページの途中で両面原稿に移行する場合は、フェーズＢに戻り、ＤＣＳ信号で両面原稿を指定し、その後、表面と裏面とを順に送信する。
【００２９】
そして、通信中にエラーが発生したときにエラー再送信する場合、両面原稿の伝送時には、常に表面から再送信する。すなわち、このエラー再送信は、ｎページ目の原稿の表面を送信しているときに生じたエラー、またはｎページ目の原稿の裏面を送信しているときに生じたエラーについても、特に、ｎページ目の原稿の表面から再送信を実行する。
【００３０】
さらに、エラー再送信の設定時に、設定回路２８による選択に基づいて、エラーしたページからの再送信（第２のモード）が選択されていると、そのまま、上記エラー再送信を実行する（順に表面、裏面と送信する）。一方、１ページ目の原稿とエラーしたページからの再送信（第１のモード）が選択されていると、まず、ＤＣＳ信号で片面原稿を指定し、１ページ目の原稿の表面について送信し、続いてフェーズＢに戻り、ＤＣＳ信号で両面原稿を指定した後、上記エラー再送信を実行する（順に表面、裏面と送信する）。
【００３１】
次に、上記実施例の動作について説明する。
【００３２】
図２〜図９は、制御回路２０の制御動作を示すフローチャートである。
【００３３】
図２において、Ｓ０で動作を開始し、Ｓ２では、信号線２０ｈにクリアパルスを発生し、両面読み取り表示回路２４を表示しない。Ｓ４では、信号線２０ａに信号レベル「０」の信号を出力し、ＣＭＬをオフする。Ｓ６では、信号線２０ｄに信号レベル「０」の信号を出力し、ＡＮＳａｍ信号を送信しない。
【００３４】
Ｓ８では、送信が選択されたか否かを判断し、送信が選択されると、Ｓ１２に進み、送信が選択されていないと、Ｓ１０に進み、その他の処理をする。
【００３５】
Ｓ１２では、信号線２４ａの情報を入力し、両面読み取りが選択されているか否かを判断し、両面読み取りが選択されていると、Ｓ６８に進み、両面読み取りが選択されていないと、Ｓ１４に進む。
【００３６】
Ｓ１４では、ページカウンタに「１」をセットし、Ｓ１６では、ページカウンタに対応して１ページの表面の情報を読み取り、符号化してメモリに格納する。
【００３７】
Ｓ１８では、次原稿があるか否かを判断し、次原稿があると、Ｓ２０に進み、ページカウンタの値を１つインクメリントし、Ｓ１６に進む。また、次原稿がないと。Ｓ２２に進み、信号線２０ａに信号レベル「１」の信号を出力し、ＣＭＬをオンする。
【００３８】
Ｓ２４では、発呼回路２６によって指定された宛先へ発呼する。Ｓ２６では、前手順を行う。ここでＤＣＳ信号によって片面伝送を指定する。Ｓ２８では、送信ページカウンタに「１」をセットし、Ｓ３０では、送信ページカウンタのページ情報を送信する。
【００３９】
Ｓ３２では、通信エラーが発生したか否かを判断し、通信エラーが発生していないと。Ｓ３４に進み、通信エラーが発生すると、Ｓ４２に進む。Ｓ３４では、次ページがあるか否かを判断し、次ページがあると、Ｓ３６に進み、次ページがないと、Ｓ４０に進む。
【００４０】
Ｓ３６では、中間手順を行い、Ｓ３８では、送信ページカウンタの値を１つインクリメントし、Ｓ３０に進む。
【００４１】
また、Ｓ４０では後手順を行い、Ｓ４に進む。
【００４２】
Ｓ４２では、信号線２０ａに信号レベル「０」の信号を出力し、ＣＭＬをオフする。Ｓ４４では、１０秒ウェイトする。Ｓ４６では、信号線２０ａに信号レベル「１」の信号を出力し、ＣＭＬをオンする。
【００４３】
Ｓ４８では、Ｓ２４で発呼した宛先と同一宛先へ発呼回路２６によって発呼し、Ｓ５０では前手順を行う。ここでＤＣＳ信号で、片面伝送を指定する。
【００４４】
次に、Ｓ５２では、信号線２８ａの情報を入力し、エラー再送信の設定をチェックし、１ページ目の原稿を送る設定になっていると、Ｓ５４に進み、１ページ目の情報を送信し、Ｓ５６の中間手順を経てＳ５８に進む。また、１ページ目の原稿を送らない設定になっていると、そのままＳ５８に進む。
【００４５】
Ｓ５８では、送信ページカウンタのページ情報を送信し、Ｓ６０では、次ページがあるか否かを判断し、次ページがあると、Ｓ６４に進み、中間手順を実行し、Ｓ６６では、送信ページカウンタの値を１つインクリメントし、Ｓ５８に進む。また、次ページがないと、Ｓ６２に進み、後手順を実行し、Ｓ４に進む。
【００４６】
また、Ｓ６８では、ページカウンタの値を「１」にセットし、Ｓ７０では原稿面に表をセットする。Ｓ７２では、ページカウンタ、原稿面に対応し、１ページの情報を読み取り、符号化し、メモリに格納する。
【００４７】
Ｓ７４では、原稿面が表であるか否かを判断し、表であると、Ｓ７６に進み、原稿面に裏をセットし、Ｓ７２に進む。また、裏であると、Ｓ７８に進み、次原稿があるか否かを判断し、次原稿があるとＳ８０に進み、ページカウンタの値を１つインクリメントし、Ｓ７０に進む。また、次原稿がないとＳ８２に進む。
【００４８】
Ｓ８２では、信号線２０ａに信号レベル「１」の信号を出力し、ＣＭＬをオンする。Ｓ８４では、発呼回路２６を使用し、指定された宛先へ発呼する。
【００４９】
次に、Ｓ８６では前手順を行い、Ｓ８８では、相手機に両面伝送機能があるか否かを判断し、両面伝送機能があれば、Ｓ９０に進み、両面伝送機能がないとＳ１４８に進む。
【００５０】
Ｓ９０では、残りの前手順を行い、ここでＤＣＳ信号で、両面伝送を指定する。そして、Ｓ９２では、送信ページカウンタに「１」をセットし、Ｓ９４では、原稿面に表をセットする。
【００５１】
次に、Ｓ９６では、送信ページカウンタの値、原稿面のページ情報を送信し、Ｓ９８では、エラーが発生したか否かを判断し、エラーが発生していないと、Ｓ１００に進み、エラーが発生しているとＳ１１２に進む。
【００５２】
Ｓ１００では、原稿面が表であるか否かを判断し、原稿面が表であると、Ｓ１０２に進み、原稿面に裏をセットし、Ｓ１０３の中間手順を経てＳ９６に進む。また、原稿面が裏であると、Ｓ１０４に進み、次ページがあるか否かを判断し、次ページがあると、Ｓ１０８に進み、中間手順を実行し、Ｓ１１０で、送信ページカウンタの値を１つインクリメントし、Ｓ９４に進む。また、次ページがないと、Ｓ１０６に進み、後手順を実行し、Ｓ４に進む。
【００５３】
また、Ｓ１１２では、信号線２０ａに信号レベル「０」の信号を出力し、ＣＭＬをオフする。Ｓ１１４では、１０秒のウェイトをし、Ｓ１１６では、信号線２０ａに信号レベル「１」の信号を出力し、ＣＭＬをオンする。
【００５４】
次に、Ｓ１１８では、発呼回路２６を用い、Ｓ８４における宛先と同一宛先へ発呼し、Ｓ１２０で前手順を行う。Ｓ１２２では、信号線２８ａの情報を入力し、エラー再送信の設定チェックをし、１ページ目も送る設定であると、Ｓ１２６に進み、ＤＣＳ信号で片面伝送を指定する残りの前手順を実行し、Ｓ１２８で、１ページ目の表面の情報を送信し、Ｓ１３０で中間手順を行う。ここでフェーズＢに戻り、ＤＣＳ信号で、両面伝送を指定する。この後、Ｓ１３２に進む。
【００５５】
また、Ｓ１２２で１ページ目を送らない設定であると、Ｓ１２４に進み、ＤＣＳ信号で両面伝送を指定する残りの前手順を実行した後、Ｓ１３２に進む。
【００５６】
Ｓ１３２では、原稿面に表をセットし、Ｓ１３４では、送信ページカウンタ、原稿面のページ情報を送信する。
【００５７】
次に、Ｓ１３６では、原稿面が表であるか否かを判断し、原稿面が表であると、Ｓ１３８に進み、原稿面に裏をセットし、Ｓ１３９で中間手順を実行し、Ｓ１３４に進む。また、原稿面が裏であると、Ｓ１４０に進み、次ページがあるか否かを判断し、次ページがあると、Ｓ１４４に進み、中間手順を実行し、Ｓ１４６で送信ページカウンタの値を１つインクリメントし、Ｓ１３２に進む。また、次ページがないと、Ｓ１４２に進み、後手順を実行し、Ｓ４に進む。
【００５８】
また、Ｓ１４８では、残りの前手順を実行し、ここでＤＣＳ信号で、片面伝送を指定する。そして、Ｓ１５０では、上記Ｓ９２からＳ１１８における制御と同様の制御を実行する。ここで、Ｓ１１８の実行後、次ステップ（Ｓ１５２）へ移行し、Ｓ１０６の実行後は、Ｓ４に進む。
【００５９】
Ｓ１５２では、前手順を実行し、ここでＤＣＳ信号で、片面伝送を指定する。そして、Ｓ１５４では、Ｓ１２２における制御と同一の制御によって１ページ目も送る設定であると、Ｓ１５６に進み、１ページ目を送らない設定であると、Ｓ１６０に進む。
【００６０】
Ｓ１５６では、上記Ｓ１２８における処理と同様の処理（１ページ目の表面の情報の送信）を行い、Ｓ１５８では、中間手順を実行し、Ｓ１６０に進む。
【００６１】
Ｓ１６０では、上記Ｓ１３４における処理（送信ページカウンタ、原稿面のページ情報の送信）を行い、Ｓ１６２では、上記Ｓ１３６における処理（原稿面は表か否かの判断）を行う。ここで、否定応答（原稿面は裏）であると、Ｓ１６６に進み、上記Ｓ１４０における判断を行い、肯定応答（原稿面は表）であると、Ｓ１６４に進み、Ｓ１３８とＳ１３９との処理（原稿面に裏をセットし、中間手順を実行する処理）を行い、Ｓ１６０に進む。
【００６２】
Ｓ１６６では、上記Ｓ１４０と同様の処理（次ページがあるか否かの判断）を行い、否定応答（次ページなし）であると、Ｓ１６８に進み、Ｓ１４２と同一処理（後手順）を行い、Ｓ４に進む。また、肯定応答（次ページあり）であると、Ｓ１７０に進み、Ｓ１４４、Ｓ１４６と同一処理（中間手順を実行し、送信ページカウンタの値を１つインクリメントする処理）を行い、Ｓ１７２では、原稿面に表をセットし、Ｓ１６０に進む。
【００６３】
なお、制御回路内のＣＰＵが、制御回路内のＲＯＭやＲＡＭ等に記憶しているプログラムに基づいて、制御回路における上記動作が実行される。上記プログラムは、フロッピディスク、ハードディスク、光ディスク、ＣＤ−ＲＯＭ、メモリカード等の外部記憶媒体に格納され、この格納されているプログラムを、専用の読取装置によって、制御回路内に取り込み、この取り込まれたプログラムを、制御回路内のＣＰＵで実行するようにしてもよい。
【００６４】
また、上記実施例では、スタンドアローンタイプのファクシミリ装置を例にとって説明したが、これに限らず、たとえばコピー機能や電子ファイル機能、さらにはデータ処理機能を通信機能と複合させた総合的なデータ処理システムにおけるデータ通信制御に、上記実施例を適用することができる。
（第２の実施例）
次に、本発明の第２の実施例について説明する。
【００６５】
第２の実施例において第１の実施例と異なる部分についてのみ、以下では説明する。また、第２の実施例に関する図面において、第１の実施例と同じ部分については、第１の実施例に付した符号と同一の符号を付し、その説明を省略する。
【００６６】
ここで、第２の実施例における両面伝送の概略について説明する。
【００６７】
両面伝送の通信モードとしては、交互モードと連続モードとの２つが存在する。「交互モード」は、両面原稿をページ順に両面、裏面の順で送信するモードである。また、「連続モード」は、両面原稿の全ての表面をまず、ページ順に送信し、引き続いて、両面原稿の全ての裏面をページ順に送信するモードである。
【００６８】
次に、ＤＩＳ、ＤＴＣ、ＤＣＳ信号のＦＩＦにおける両面伝送の定義について説明する。
【００６９】
図１０は、両面伝送に関するＤＩＳ、ＤＴＣ、ＤＣＳ信号のＦＩＦを示す図である。
【００７０】
ここで、ＤＩＳ／ＤＴＣ信号において、ＦＩＦのＸビット目が、交互モードにおける両面記録機能の有無を表し、ＦＩＦのＸ＋１ビット目が、連続モードにおける両面記録機能の有無を表わす。また、ＤＣＳ信号において、ＦＩＦのＸビット目が、交互モードでの両面記送信を指定し、ＦＩＦのＸ＋１ビット目が、連続モードでの両面記送信を指定する。
【００７１】
図１１は、ノーマルＧ３伝送でのＱ信号（ＥＯＰ、ＭＰＳ、ＥＯＭ）とＥＣＭ伝送でのＰＰＳ−Ｑ信号（ＰＰＳ−ＥＯＰ、ＰＰＳ−ＭＰＳ、ＰＰＳ−ＥＯＭ、ＰＰＳ−ＮＵＬＬ）とのフレーム構成を示す図である。
【００７２】
図１１において、Ｆｌａｇ、Ａｄｒｅｓｓ、Ｃｏｎｔｒｏｌ、ＦＣＦ，ＰＣ（ページカウンタ）、ＢＣ（ブロックカウンタ）、ＦＣ（フレームカウンタ）、Ｌｅｎｇｔｈ（ＰａｇｅＮｕｍｂｅｒ（２オクテット）とＰａｇｅｉｎｆｏｒｍａｔｉｏｎ（現在は１オクテット）の合計オクテット数）、Ｐａｇｅｎｕｍｂｅｒ（両面原稿をページ順に表面、裏面と交互に送信するケースを考えれば、１ページ目からの表裏１ページずつのページ数を加算した値）、Ｐａｇｅｉｎｆｏｒｍａｔｉｏｎ（ｂｉｔ０によって表面（０にセット）か裏面（１にセット）、ＦＣＳ、Ｆｌａｇからなるフレームを示している。
【００７３】
ここで、ノーマルＧ３において使用するＱ信号には、ＰＣ、ＢＣ、ＦＣは含まれず、ＰＣ、ＢＣ、ＦＣは、ＥＣＭ通信において使用するＰＰＳ−Ｑ信号でのみ使用される。
【００７４】
図１２は、ノーマルＧ３モードにおける交互モードでの両面伝送を示す図である。
【００７５】
図１３は、ＥＣＭモードにおける交互モードでの両面伝送を示す図である。
【００７６】
図１４は、ノーマルＧ３モードにおける連続モードでの両面伝送を示す図である。
【００７７】
図１５は、ＥＣＭモードにおける交互モードでの両面伝送を示す図である。
【００７８】
図１６〜図２３は、第２の実施例における制御回路２０の処理動作を示すフローチャートである。
【００７９】
これらの図面において、第１の実施例における処理と同一の処理については、同一の符号を付し、その説明を省略する。
【００８０】
第２の実施例では、主に、ＩＴＵ−Ｔ勧告に準拠した交互両面伝送可能なファクシミリ装置において、両面原稿を伝送している途中で通信エラーになったときに、偶数ページがエラーしたとしても、奇数ページから再送信する。
【００８１】
具体的には、ページナンバー２×（ｎ＋１）（裏面のページナンバー）を送信している途中でエラーが発生しても、その１つ前のページナンバー２ｎ＋１（表面のページナンバー）から再送信する。
【００８２】
さらに、エラー再送信として、１ページ目の原稿の表面を送信するか否かを選択する手段を有し、１ページ目の原稿の表面を再送信することが選択されていれば、エラー発生後に再送信するときに、１ページ目の原稿の表面を送信し、続いて、全白情報を裏面の情報として送信し、続いて、エラーが発生した原稿の表面から再送信する。
【００８３】
なお、再送信の際に１ページ目の原稿を再送信するときと、しないときとでは、同一ページに対して付加されるページナンバー（受信機へ通知されるページナンバー）が異なる。
【００８４】
また、第１の実施例では、原稿の枚数をページカウンタでカウントし、各ページの表と裏としてメモリに記憶したが、第２の実施例では、これに加えて、各原稿の表面と裏面とに異なるページナンバー（連番）を付加し、受信側に通知する制御を行う。
【００８５】
図１７において、Ｓ２２６では、前手順を行う。ここでＤＣＳ信号によって、片面伝送を指定する。具体的には、ＤＣＳ信号のＦＩＦのＸビット、Ｘ＋１ビットをともに「０」にする。
【００８６】
図１８において、Ｓ２５０では、前手順を行う。ここでＤＣＳ信号によって、片面伝送を指定する。具体的には、ＤＣＳ信号のＦＩＦのＸビット、Ｘ＋１ビットをともに「０」にする。
【００８７】
図１９のステップＳ２８８では、交互モードでの両面電送機能が相手機にあるか否かを判断し、交互モードでの両面電送機能があれば、図２０のＳ２９０に進み、交互モードでの両面電送機能が無ければ、図２３のＳ２１４８に進む。
【００８８】
図２０のＳ２９０では、残りの前手順を行い、ここで、ＤＣＳ信号で、両面伝送を指定する。具体的には、ＤＣＳ信号のＦＩＦのＸビット目を「１」とし、Ｘ＋１ビット目を「０」とする。そして、Ｓ２９１では、ページナンバーに「１」をセットする。
【００８９】
Ｓ２１０３では、中間手順を実行し、図３で説明したＱやＰＰＳ−Ｑを使って、ページナンバーと原稿面とを受信機に通知する。そして、Ｓ２１０３１において、ページナンバーを１インクリメントし、Ｓ２１０３２において原稿面に裏をセットする。
【００９０】
Ｓ２１０８では、中間手順を実行し、図３で説明したＱやＰＰＳ−Ｑを使って、ページナンバーと原稿面とを受信機に通知する。
【００９１】
Ｓ２１０６では、後手順を実行し、図３で説明したＱやＰＰＳ−Ｑを使ってページナンバーと原稿面とを受信機に通知する。
【００９２】
図２１のＳ２１２１では、ページナンバーに「１」をセットする。
【００９３】
Ｓ２１２６、Ｓ２１２４では、両面伝送を指定する。具体的には、ＤＣＳ信号のＦＩＦのＸビットを「１」とし、Ｘ＋１ビットを「０」とする。
【００９４】
Ｓ２１３０では、中間手順を実行し、図３で説明したＱやＰＰＳ−Ｑを使ってページナンバーを通知し、原稿面が表であることを受信機に通知する。Ｓ２１３０１では、ページナンバーを１インクリメントし、Ｓ２１３０２では、全白ページの送信を行う。
【００９５】
つまり、再送信する場合、１ページ目の表面だけ再送すれば、エラー再送信がどの通信であるかを、受信側のユーザーが十分認識できるので、１ページ目の裏面には、データを送信する代わりに、全白ページを送信する。
【００９６】
Ｓ２１３０３では、中間手順を実行し、図３で説明したＱやＰＰＳ−Ｑを使ってページナンバーを通知し、原稿面が裏であることを受信機に通知する。Ｓ２１３０４では、ページナンバーを１インクリメントする。
【００９７】
図２２のＳ２１３９とＳ２１４４とでは、中間手順を実行し、図３で説明したＱやＰＰＳ−Ｑを使ってページナンバーと原稿面とを受信機に通知する。Ｓ２１４２では、後手順を実行し、図３で説明したＱやＰＰＳ−Ｑを使って、ページナンバーと原稿面とを受信機に通知する。Ｓ２１４７、Ｓ２１３９１では、ページナンバーを１インクリメントする。Ｓ２１３９２では、原稿面に裏をセットする。
【００９８】
図２３では、残りの前手順を実行し、ＤＣＳ信号で片面伝送を指定する。具体的には、ＤＣＳ信号のＸビット、Ｘ＋１ビットをともに「０」とする。
【００９９】
Ｓ２１５０では、図２０のＳ２９１〜図２１のＳ１１８における制御と同様の制御を実行する。ただし、Ｓ２１０３、Ｓ２１０８の中間手順とＳ２１０６の後手順とにおいて、ページナンバーと原稿面との通知はしない。
【０１００】
Ｓ２１５２では、前手順を実行し、ＤＣＳ信号で片面伝送を指定する。具体的には、ＤＣＳ信号のＸビット、Ｘ＋１ビットをともに「０」とする。
【０１０１】
Ｓ２１６４では、Ｓ２１３９、Ｓ２１３９１、Ｓ２１３９２における処理と同一の処理（中間手順後、ページナンバーをインクリメントし、原稿面に裏をセットする処理）を実行する。ただし、Ｓ２１３９では、ページナンバー、原稿面の通知はしない。
【０１０２】
Ｓ２１６８では、後手順を実行する。ただし、ページナンバーと原稿面との通知はしない。
【０１０３】
Ｓ２１７０では、Ｓ２１４４、Ｓ１４６、Ｓ２１４７における処理と同じ処理（中間手順を実行して、送信ページカウンタの値を１つインクリメントして、ページナンバーを１つインクリメントする）を実行する。ただし、Ｓ２１４４では、ページナンバーと原稿面との通知はしない。
【０１０６】
【発明の効果】
請求項１、２記載の発明によれば、送信側から受信側には両面原稿の指定と片面原稿の指定とを行い、両面原稿を指定した送信の途中で片面原稿の送信に移行する場合、片面原稿を指定した送信の途中で両面原稿の送信に移行する場合、フェーズＢに戻ってＤＣＳ信号で両面原稿、または、片面原稿を指定し直して続きの原稿を送信するので、両面原稿と片面とが混在していても、片面原稿を片面原稿として送信することができ、片面原稿を両面原稿として送信するものに比べ、擬似的に裏面を全白データとして送信することが不要になり、通信時間が長くなることを防止することができるという効果を奏する。
【０１０７】
請求項３、６記載の発明によれば、受信機から送信機に両面受信機能の有無を通知し、送信機から受信機にはＤＣＳ信号で両面原稿の指定し、ＤＣＳ信号で両面原稿を指定した場合には、順に表面、裏面と送信し、ページの途中で片面原稿に移行する場合は、フェーズＢに戻ってＤＣＳ信号で片面原稿を指定し、一方、ＤＣＳ信号で片面原稿を指定して送信し、ページの途中で両面原稿に移行する場合は、フェーズＢに戻ってＤＣＳ信号で両面原稿を指定し、その後、表面、裏面と順に送信していき、通信中にエラーが発生した場合のエラー再送信は両面原稿の伝送時に常に表面から再送信するので、両面原稿の裏面を伝送中に通信エラーが発生した場合に、エラー再送信した原稿の裏面情報は、記録紙の表面に記録され、受信機側でエラーした受信原稿と、エラー再送信された受信原稿とをつなげようとした場合、途中で裏面が白紙または途中までの印字となるものに比べ、受信側では、表面と裏面とが正しく記録された原稿が得られるので、受信側では、表面と裏面が正しく記録された見やすい原稿を得ることができるという効果を奏する。
【０１０８】
請求項５、８記載の発明によれば、両面原稿の伝送において１ページ目の表面のみの送信と、エラーした原稿の表面からの送信とが可能になり、受信機側のユーザに不要である１ページ目の原稿の裏面の読取りデータを送ることによる通信費のアップがなくなり、しかも、エラー再送信の受信原稿と、それ以前に受信した原稿を表面、裏面の順番が変わることなくつなげることができ、ユーザには使い易いという効果を奏する。
【図面の簡単な説明】
【図１】本発明の一実施例を示すブロック図である。
【図２】上記実施例の動作を示すフローチャートである。
【図３】上記実施例の動作を示すフローチャートである。
【図４】上記実施例の動作を示すフローチャートである。
【図５】上記実施例の動作を示すフローチャートである。
【図６】上記実施例の動作を示すフローチャートである。
【図７】上記実施例の動作を示すフローチャートである。
【図８】上記実施例の動作を示すフローチャートである。
【図９】上記実施例の動作を示すフローチャートである。
【図１０】両面伝送用にのＤＩＳ、ＤＴＣ、ＤＣＳに割り当てられるビットを示す図である。
【図１１】両面伝送に使用されるＱ、ＰＰＳ−Ｑを示す図である。
【図１２】ノーマルＧ３モードにおける交互モードでの両面伝送を示す図である。
【図１３】ＥＣＭモードにおける交互モードでの両面伝送を示す図である。
【図１４】ノーマルＧ３モードにおける連続モードでの両面伝送を示す図である。
【図１５】ＥＣＭモードにおける交互モードでの両面伝送を示す図である。
【図１６】第２の実施例の動作を示すフローチャートである。
【図１７】第２の実施例の動作を示すフローチャートである。
【図１８】第２の実施例の動作を示すフローチャートである。
【図１９】第２の実施例の動作を示すフローチャートである。
【図２０】第２の実施例の動作を示すフローチャートである。
【図２１】第２の実施例の動作を示すフローチャートである。
【図２２】第２の実施例の動作を示すフローチャートである。
【図２３】第２の実施例の動作を示すフローチャートである。
【符号の説明】
ＦＳ１…ファクシミリ装置、
２…ＮＣＵ、
４…電話機、
６…ハイブリッド回路、
８…変復調器、
１０…ＡＮＳａｍ送出回路、
１２…加算回路、
１４…読取回路、
１６…記録回路、
１８…メモリ回路、
２０…制御回路、
２２…両面読取選択ボタン、
２４…両面読取表示回路、
２６…発呼回路、
２８…設定回路。
【図１】
0003619062.tif 000002
【図２】
0003619062.tif 000003
【図３】
0003619062.tif 000004
【図４】
0003619062.tif 000005
【図５】
0003619062.tif 000006
【図６】
0003619062.tif 000007
【図７】
0003619062.tif 000008
【図８】
0003619062.tif 000009
【図９】
0003619062.tif 000010
【図１０】
0003619062.tif 000011
【図１１】
0003619062.tif 000012
【図１２】
0003619062.tif 000013
【図１３】
0003619062.tif 000014
【図１４】
0003619062.tif 000015
【図１５】
0003619062.tif 000016
【図１６】
0003619062.tif 000017
【図１７】
0003619062.tif 000018
【図１８】
0003619062.tif 000019
【図１９】
0003619062.tif 000020
【図２０】
0003619062.tif 000021
【図２１】
0003619062.tif 000022
【図２２】
0003619062.tif 000023
【図２３】
0003619062.tif 000024